(57)【要約】【課題】  使用者の選択により簡易にモードを切り換えることができる折り畳み式携帯電話機を提供する。【解決手段】  折畳み式携帯電話機１は、第１筐体２と第２筐体３とヒンジ部４と制御部とを備える。第１筐体２は、第２イヤホン部２１と、第１イヤホン部２２とを有する。第２筐体３は、第２マイク部３１と、第１マイク部３２とを有する。ヒンジ部４は、第１回転軸Ａ１を有し、第１筐体２と第２筐体３とが折畳まれた状態から、第１筐体２と第２筐体３とを第１状態と第２状態とに開くことが可能なように接続する。第１状態は、第１筐体２と第２筐体３とが１８０度以下の角度に開かれた状態である。第２状態は、第１筐体２と第２筐体３とが１８０を超える角度に開かれた状態である。制御部は、第１状態においては第１通信状態へ、第２状態においては第２通信状態へと、通信状態を切り換える。【選択図】      図４
2005151548.tif 000002
【特許請求の範囲】
【請求項１】
第１イヤホン部を有する第１筐体と、
第１マイク部を有する第２筐体と、
前記第１筐体と前記第２筐体とを折り畳むための第１回転軸を有し、前記第１イヤホン部と前記第１マイク部とが対向するように前記第１筐体と前記第２筐体とが折り畳まれた状態から、前記第１筐体と前記第２筐体とが第１所定角度だけ開いた第１状態と、前記第１筐体と前記第２筐体とが前記第１所定角度より大きい第２所定角度だけ開いた第２状態とに、前記第１筐体と前記第２筐体とを開くことが可能なように接続する接続部と、
前記第１状態においては第１モードへ、前記第２状態においては第２モードへと、モーを切り換える制御部と、
を備える折り畳み式携帯電話機。
【請求項２】
前記第１所定角度は、１８０度以下の角度であり、
前記第２所定角度は、１８０度を超える角度である、
請求項１に記載の折り畳み式携帯電話機。
【請求項３】
前記モードは通信状態である、請求項１又は２に記載の折り畳み式携帯電話機。
【請求項４】
前記通信状態は、通信方式であり、
前記制御部は、前記第１状態においては第１通信方式へ、前記第２状態においては第２通信方式へと、前記通信方式を切り換える、
請求項３に記載の折畳み式携帯電話機。
【請求項５】
前記第１通信方式はＰＤＣ方式であり、前記第２通信方式はＰＨＳ方式である、
請求項４に記載の折畳み式携帯電話機。
【請求項６】
前記通信状態は、使用される通信回線であり、
前記制御部は、前記第１状態においては第１回線へ、前記第２状態においては第２回線へと、前記使用される通信回線を切り換える、
請求項３に記載の折畳み式携帯電話機。
【請求項７】
前記通信状態は、利用者の区別であり、
前記制御部は、前記第１状態においては第１利用者へ、前記第２状態においては第２利用者へと、前記利用者の区別を切り換える、
請求項３に記載の折畳み式携帯電話機。
【請求項８】
前記通信状態は、通信態様であり、
前記制御部は、前記第１状態においては通話及びメール送受信のいずれか一方へ、前記第２状態においては通話及びメール送受信の他方へと、前記通信態様を切り換える、
請求項１又は２に記載の折り畳み式携帯電話機。
【請求項９】
前記第２筐体は、前記第１マイク部が設けられた側に操作ボタン部をさらに有し、
前記モードは、前記操作ボタン部のキー状態であり、
前記制御部は、前記第１状態では、前記操作ボタンに対する入力が受け付けられないキーロック状態及び前記キーロック状態が解除されたキーロック解除状態のいずれか一方へと、前記第２状態では、前記キーロック状態及びキーロック解除状態の他方へと、前記操作ボタン部のキー状態を切り換える、
請求項１又は２に記載の折り畳み式携帯電話機。
【請求項１０】
前記第１筐体は、前記第１イヤホン部が設けられた側に表示パネル部をさらに有し、
前記モードは、前記表示パネル部の表示状態であり、
前記制御部は、前記第１状態では、文字情報を表示可能な文字情報表示状態へと、前記第２状態では、文字情報を表示しない文字情報非表示状態へと、前記表示パネル部の表示状態を切り換える、
請求項１又は２に記載の折り畳み式携帯電話機。
【請求項１１】
前記接続部は、前記第１回転軸に直交し前記第１筐体を反転させるための第２回転軸をさらに有している、請求項１から１０のいずれかに記載の折り畳み式携帯電話機。
【請求項１２】
前記第１筐体は、前記第１イヤホン部が設けられた第１面の反対側の第２面に設けられる第２イヤホン部をさらに有している、請求項１１に記載の折り畳み式携帯電話機。
【請求項１３】
前記第２筐体は、前記第１マイク部が設けられた第３面の反対側の第４面に設けられる第２マイク部をさらに有している、請求項１１又は１２に記載の折り畳み式携帯電話機。
【請求項１４】
前記接続部は、前記第１面と前記第３面が前記第１所定角度だけ開いた第１状態から、前記第１筐体が前記第２筐体に対し反転して前記第２面と前記第３面とが前記第１所定角度だけ開いた第３状態と、前記第１面と前記第３面が前記第２所定角度だけ開いた第２状態から、前記第１筐体が前記第２筐体に対し反転して前記第２面と前記第３面とが前記第２所定角度だけ開いた第４状態とを採り得るよう前記第１筐体と前記第２筐体を接続し、
前記制御部は、前記第３状態においては第３モードへ、前記第４状態においては第４モードへと、前記モードを切り換え可能である、
請求項１３に記載の折り畳み式携帯電話機。
【請求項１５】
前記第３状態では、前記第１面の第１イヤホン部及び前記第４面の第２マイク部が無効に、前記第２面の第２イヤホン部及び第３面の第１マイク部が有効となり、
前記第４状態では、前記第２面の第２イヤホン部及び前記第３面の第１マイク部が無効に、前記第１面の第１イヤホン部及び第４面の第２マイク部が有効となる、
請求項１４に記載の折り畳み式携帯電話機。
【発明の詳細な説明】
【技術分野】
【０００１】
本発明は、折畳み式携帯電話機に関する。
【背景技術】
【０００２】
一般に、折畳み式携帯電話機は、イヤホン部が設けられる第１筐体と、マイク部が設けられる第２筐体と、第１筐体と第２筐体とを折畳み可能に接続する接続部とを備える。また、このような折畳み式携帯電話は、第１筐体と第２筐体とが対向した状態となるように折畳まれ、通話時には折畳まれた状態から１８０度以下の所定角度に開かれて使用される（特許文献１参照）。
【０００３】
一方、折畳み式携帯電話機に限らず一般的な携帯電話機において、２つ以上の通信方式を自動的に切り換えるものが知られている。通信方式としては、例えば、ＰＤＣ方式やＰＨＳ方式などがあり、これらの２つの通信方式を有し状況に応じて最適な通信方式を自動的に選択する携帯電話機がある（特許文献２参照）。
【特許文献１】特開平６−３３８８３７号公報
【特許文献２】特開平１０−２９０４７４号公報
【発明の開示】
【発明が解決しようとする課題】
【０００４】
上記のように、自動的に通信方式が選択される携帯電話機は確かに便利であるが、状況によっては使用者が主体的に通信方式を選択して使用することを望む場合がある。また、通信方式に限らず、携帯電話機が有する２つ以上の通信状態等、複数のモードを必要に応じて主体的に切り換えることができれば便利である。
【０００５】
本発明の課題は、使用者の選択により簡易にモードを切り換えることができる折り畳み式携帯電話機を提供することにある。
【課題を解決するための手段】
【０００６】
請求項１に記載の折り畳み式携帯電話機は、第１筐体と、第２筐体と、接続部とを備えている。第１筐体は、第１イヤホン部を有する。第２筐体は、第１マイク部を有する。接続部は、第１筐体と第２筐体とを折り畳むための第１回転軸を有し、第１イヤホン部と第１マイク部とが対向するように第１筐体と第２筐体とが折り畳まれた状態から、第１筐体と第２筐体とが第１所定角度だけ開いた第１状態と、第１筐体と第２筐体とが第１所定角度より大きい第２所定角度だけ開いた第２状態とに、第１筐体と第２筐体とを開くことが可能なように接続する。制御部は、第１状態においては第１モードへ、第２状態においては第２モードへと、モードを切り換える。
【０００７】
この折畳み式携帯電話機では、第１筐体と第２筐体とを第１状態に開くか第２状態に開くかによって、第１モードと第２モードとを選択することができる。すなわち、折畳み式携帯電話機の開き方によって、簡易にモードを選択することができる。これにより、この折畳み式携帯電話機では、使用者の選択により簡易にモードを切り換えることができる。
【０００８】
なお、モードには、後述するように、通信状態、イヤホン部，マイク部の有効・無効、表示パネル部の表示状態、操作ボタン部のキー状態等が含まれる。
【０００９】
また、本発明において、第１及び第２所定角度は、後述する第１面乃至第４面を用いて表さない場合は、後述する第２回転軸回りに反転するしないに関わらず、第１イヤホン部と第１マイク部が対向して折り畳まれた状態から２つの筐体が第１回転軸回りに何度開いたかで表される。
【００１０】
従って、例えば、２つの筐体が第１イヤホン部と第１マイク部とが対向するよう折り畳まれた状態から第１回転軸回りに１８０度を超えて開いている場合、２つの筐体は１８０度を超えて開いているというとともに、その状態から第１筐体が第２回転軸回りに１８０度反転した場合も、２つの筐体は１８０度を超えて開いているという。
【００１１】
但し、第１面乃至第４面を用いて角度を表す場合、例えば、第１面（第１イヤホン部側の面）と第３面（第１マイク部側の面）が対向して折り畳まれた状態から２つの筐体が１８０度を超えて開いている場合は、第１面と第３面は１８０度を超えて開いている又は第２面（第１面と反対側の面）と第４面（第３面と反対側の面）は１８０度以下開いているといい、その状態から例えば第１筐体が第２筐体に対して第２回転軸回りに１８０度反転した場合は、第２面と第３面が１８０度を超えて開いている又は第１面と第４面が１８０度以下開いているという。
【００１２】
請求項２に記載の折り畳み式携帯電話機は、請求項１に記載の折り畳み式携帯電話機であって、第１所定角度は、１８０度以下の角度であり、第２所定角度は、１８０度を超える角度である。
【００１３】
この折り畳み式携帯電話機は、特に、第１筐体及び第２筐体を１８０度以下開くか１８０度を超えて開くかによって、簡易なモードの切り換えを行えるようになっている。
【００１４】
請求項３に記載の折り畳み式携帯電話機は、請求項１又は２に記載の折り畳み式携帯電話機であって、モードは通信状態である。
【００１５】
この折り畳み式携帯電話機は、第１状態か第２状態かにすることで、特に、第１通信状態及び第２通信状態を簡易に選択できるようになっている。
【００１６】
なお、通信状態には、通信方式、使用される通信回線、利用者の区別、通信態様等が含まれる。
【００１７】
請求項４に記載の折畳み式携帯電話機は、請求項３に記載の折畳み式携帯電話機であって、通信状態は通信方式であり、制御部は、第１状態においては第１通信方式へ、第２状態においては第２通信方式へと、通信方式を切り換える。
【００１８】
なお、通信方式とは、ＰＤＣ，ＰＨＳ，ＣＤＭＡ，Ｗ−ＣＤＭＡ，ＧＳＭ、ＦＯＭＡなどの通信システムを意味する。
【００１９】
この折畳み式携帯電話機では、携帯電話機の開き方によって、簡易に通信方式を選択することができる。これにより、使用者の選択により簡易に通信方式を切り換えることができる。
【００２０】
請求項５に記載の折畳み式携帯電話機は、請求項４に記載の折畳み式携帯電話機であって、第１通信方式はＰＤＣ方式であり、第２通信方式はＰＨＳ方式である。
【００２１】
この折畳み式携帯電話機では、携帯電話機の開き方によって、ＰＤＣ方式とＰＨＣ方式とを使用者の選択により簡易に切り換えることができる。
【００２２】
請求項６に記載の折畳み式携帯電話機は、請求項３に記載の折畳み式携帯電話機であって、通信状態は使用される通信回線であり、制御部は、第１状態においては第１回線へ、第２状態においては第２回線へと、使用される通信回線を切り換える。
【００２３】
この折畳み式携帯電話機では、第１筐体と第２筐体とを第１状態に開くか第２状態に開くかによって、第１回線と第２回線とを選択することができる。このため、例えば、ビジネス用とプライベート用とで２つの回線を使い分けるなど、使用者の選択によって第１回線と第２回線とを簡易に使い分けることができる。
【００２４】
請求項７に記載の折畳み式携帯電話機は、請求項３に記載の折畳み式携帯電話機であって、通信状態は利用者の区別であり、制御部は、第１状態においては第１利用者へ、第２状態においては第２利用者へと、利用者の区別を切り換える。
【００２５】
この折畳み式携帯電話機では、第１筐体と第２筐体とを第１状態に開くか第２状態に開くかによって、第１利用者と第２利用者との区別を切り換えることができる。このため、例えば、第１利用者の場合と第２利用者の場合とで課金を切り換えることによって、１台の携帯電話機で通信費を２人の利用者に分けて精算することが可能である。このように、この折畳み式携帯電話機では、使用者の選択によって簡易に利用者を区別することができる。
【００２６】
請求項８に記載の折り畳み式携帯電話機は、請求項１又は２に記載の折り畳み式携帯電話機であって、通信状態は、通信態様である。そして、制御部は、第１状態においては通話及びメール送受信のいずれか一方へ、第２状態においては通話及びメール送受信の他方へと、通信態様を切り換える。
【００２７】
この折り畳み式携帯電話機は、第１状態か第２状態かにすることで、通話及びメール送受信を切り換えられるようになっている。
【００２８】
請求項９に記載の折り畳み式携帯電話機は、請求項１又は２に記載の折り畳み式携帯電話機であって、第２筐体は、第２マイク部が設けられた側に操作ボタン部をさらに有している。モードは、操作ボタン部のキー状態である。そして、制御部は、第１状態では、操作ボタンに対する入力が受け付けられないキーロック状態及びキーロック状態が解除されたキーロック解除状態のいずれか一方へと、第２状態では、キーロック状態及びキーロック解除状態の他方へと、操作ボタン部のキー状態を切り換える。
【００２９】
この折り畳み式携帯電話機は、第１状態か第２状態かにすることで、操作ボタン部のキー状態のキーロック状態及びキーロック解除状態を切り換えられるようになっている。
【００３０】
請求項１０に記載の折り畳み式携帯電話機は、請求項１又は２に記載の折り畳み式携帯電話機であって、第１筐体は、第１イヤホン部が設けられた側に表示パネル部をさらに有している。モードは、表示パネル部の表示状態である。制御部は、第１状態では、文字情報を表示可能な文字情報表示状態へと、第２状態では、文字情報を表示しない文字情報非表示状態へと、表示パネル部の表示状態を切り換える。
【００３１】
この折り畳み式携帯電話機は、第１状態か第２状態かにすることで、表示パネル部の表示状態の文字情報表示状態及び文字情報非表示状態を切り換えられるようになっている。
【００３２】
なお、文字情報非表示状態とは、表示パネル部が消灯された状態、イルミネーションが表示された状態、スクリーンセーバーが表示された状態等である。
【００３３】
請求項１１に記載の折り畳み式携帯電話機は、請求項１から１０のいずれかに記載の折り畳み式携帯電話機であって、接続部は、第１回転軸に直交し第１筐体を反転させるための第２回転軸をさらに有している。
【００３４】
この折り畳み式携帯電話機は、２つの筐体が第１状態及び第２状態以外の状態を取ることができ、例えば、それら各状態に対し第１モード及び第２モード以外の他のモードを割り当てて、種々の使用態様を提供することができる。
【００３５】
請求項１２に記載の折り畳み式携帯電話機は、請求項１１の折り畳み式携帯電話機において、第１筐体は、第１イヤホン部が設けられた第１面の反対側の第２面に設けられる第２イヤホン部をさらに有している。
【００３６】
例えば、第１筐体と第２筐体が１８０度を超えて開いた第２状態とされると、操作ボタン部が外側に配置されるので、通話のために一方の筐体を他方に対し反転させて操作ボタン部を内側に配置させようとすることが想定される。
【００３７】
そこで、この折り畳み式携帯電話機では、一方の筐体にイヤホン部を両面側に配置することで、一方の筐体を反転させた場合にも通話ができるようにしている。
【００３８】
請求項１３に記載の折り畳み式携帯電話機は、請求項１１又は１２に記載の折り畳み式携帯電話機において、第２筐体は、第２マイク部が設けられた第３面の反対側の第４面に設けられる第１マイク部をさらに有している。
【００３９】
この折り畳み式携帯電話機では、一方の筐体にマイク部を両面側に配置したことで、一方の筐体を反転させた場合でも、通話が可能になっている。
【００４０】
請求項１４に記載の折り畳み式携帯電話機は、請求項１３に記載の折り畳み式携帯電話機において、接続部は、第１面と第３面が第１所定角度だけ開いた第１状態から、第１筐体が第２筐体に対し反転して第２面と第３面とが第１所定角度だけ開いた第３状態と、第１面と第３面が第２所定角度だけ開いた第２状態から、第１筐体が第２筐体に対し反転して第２面と第３面とが第２所定角度だけ開いた第４状態とを採り得るよう第１筐体と第２筐体を接続する。制御部は、第３状態においては第３モードへ、第４状態においては第４モードへと、モードを切り換え可能である。
【００４１】
この折り畳み式携帯電話機では、第１モードと第２モードとのモード切り換えのほか、第２回転軸回りの反転動作によりさらに第３モードと第４モードとのモード切換を行うことができる。
【００４２】
請求項１５に記載の折り畳み式携帯電話機は、請求項１４に記載の折り畳み式携帯電話機において、第３状態では、第１面の第１イヤホン部及び第４面の第２マイク部が無効に、第２面の第２イヤホン部及び第３面の第１マイク部が有効となる。第４状態では、第２面の第２イヤホン部及び第３面の第１マイク部が無効に、第１面の第１イヤホン部及び第４面の第２マイク部が有効となる。
【００４３】
この折り畳み式携帯電話機では、第３状態での第１面及び第４面側や第４状態での第２面側及び第３面側に位置するイヤホン部及びマイク部を無効にすることで、音漏れや、不要な集音を防止することができる。
【００４４】
なお、外側とは、第１筐体と第２筐体とが１８０度を超えて開く側をいい、内側とは、第１筐体と第２筐体とが１８０度以下開く側をいう。
【発明の効果】
【００４５】
請求項１に記載の折り畳み式携帯電話機では、折畳み式携帯電話機の開き方によって、簡易にモードを選択することができる。これにより、この折畳み式携帯電話機では、使用者の選択により簡易にモードを切り換えることができる。
【００４６】
請求項２に記載の折り畳み式携帯電話機では、特に、第１筐体及び第２筐体を１８０度以下開くか１８０度を超えて開くかによって、簡易なモードの切り換えを行えるようになっている。
【００４７】
請求項３に記載の折畳み式携帯電話機では、折畳み式携帯電話機の開き方によって、簡易に通信状態を選択することができる。これにより、この折畳み式携帯電話機では、使用者の選択により簡易に通信状態を切り換えることができる。
【００４８】
請求項４に記載の折畳み式携帯電話機では、携帯電話機の開き方によって、簡易に通信方式を選択することができる。これにより、使用者の選択により簡易に通信方式を切り換えることができる。
【００４９】
請求項５に記載の折畳み式携帯電話機では、携帯電話機の開き方によって、ＰＤＣ方式とＰＨＣ方式とを使用者の選択により簡易に切り換えることができる。
【００５０】
請求項６に記載の折畳み式携帯電話機では、第１筐体と第２筐体とを第１状態に開くか第２状態に開くかによって、第１回線と第２回線とを選択することができる。このため、例えば、ビジネス用とプライベート用とで２つの回線を使い分けるなど、使用者の選択によって第１回線と第２回線とを簡易に使い分けることができる。
【００５１】
請求項７に記載の折畳み式携帯電話機では、第１筐体と第２筐体とを第１状態に開くか第２状態に開くかによって、第１利用者と第２利用者との区別を切り換えることができる。このため、例えば、第１利用者の場合と第２利用者の場合とで課金を切り換えることによって、１台の携帯電話機で通信費を２人の利用者に分けて精算することが可能である。このように、この折畳み式携帯電話機では、使用者の選択によって簡易に利用者を区別することができる。
【００５２】
請求項８に記載の折り畳み式携帯電話機では、第１状態か第２状態かにすることで、通話及びメール送受信を切り換えられるようになっている。
【００５３】
請求項９に記載の折り畳み式携帯電話機では、第１状態か第２状態かにすることで、操作パネル部のキー状態のキーロック状態及びキーロック解除状態を切り換えられるようになっている。
【００５４】
請求項１０に記載の折り畳み式携帯電話機では、第１状態か第２状態かにすることで、表示パネル部の表示状態の文字情報表示状態及び文字情報非表示状態を切り換えられるようになっている。
【００５５】
請求項１１に記載の折り畳み式携帯電話機では、２つの筐体が第１状態及び第２状態以外の状態を取ることができ、例えば、それら各状態に対し第１モード及び第２モード以外の他のモードを割り当てて、種々の使用態様を提供することができる。
【００５６】
請求項１２に記載の折り畳み式携帯電話機では、一方の筐体にイヤホン部を両面側に配置することで、一方の筐体が反転した場合にも通話を可能にしている。
【００５７】
請求項１３に記載の折り畳み式携帯電話機では、一方の筐体にマイク部を両面側に配置したことで、一方の筐体を反転させた場合でも、通話が可能になっている。
【００５８】
請求項１４に記載の折り畳み式携帯電話機では、第１モードと第２モードとのモード切り換えのほか、第２回転軸回りの反転動作によりさらに第３モードと第４モードとのモード切換を行うことができる。
【００５９】
請求項１５に記載の折り畳み式携帯電話機では、外側に位置するイヤホン部及びマイク部を無効にすることで、音漏れや、不要な集音を防止することができる。
【発明を実施するための最良の形態】
【００６０】
＜第１実施形態＞
〈構成〉
本発明の第１実施形態にかかる折畳み式携帯電話機１を図１に示す。
【００６１】
この折畳み式携帯電話機１は、第１筐体２と第２筐体３とヒンジ部４（接続部）と制御部５（図６参照）とを備えている。
【００６２】
［第１筐体２］
第１筐体２は、薄型の略長方形の形状を有しており、通話時において使用者の耳に近接する部分である。第１筐体２は、表示パネル部２０と第２イヤホン部２１と第１イヤホン部２２とを有する。
【００６３】
表示パネル部２０は、第１筐体２の一方の面である第１面１１に設けられ、第１面１１の中央部分に位置する大型の液晶ディスプレイである。この表示パネル部２０には、電話番号やメールなどの文字情報や画像などが表示される。
【００６４】
第２イヤホン部２１は、表示パネル部２０が設けられた第１面１１の反対側の面である第２面１３に設けられ、第１筐体２の上端近傍に設けられる。第２イヤホン部２１は、通話時に通話相手の音声を出力する。
【００６５】
第１イヤホン部２２は、表示パネル部２０が設けられている第１面１１、すなわち、第２イヤホン部２１が設けられた第２面１３の反対側の面に設けられている。第１イヤホン部２２は、表示パネル部２０の上方であって第１筐体２の上端近傍に配置される。第１イヤホン部２２は、通話時に通話相手の音声を出力する。
【００６６】
［第２筐体３］
第２筐体３は、薄型の略長方形の形状を有しており、通話時において使用者の口に近接する部分である。第２筐体３は、操作ボタン部３０と第２マイク部３１と第１マイク部３２とを有する。
【００６７】
操作ボタン部３０は、第２筐体３の一方の面である第３面１５に設けられ、通話のオンオフボタンや数字や文字の入力ボタン、カーソルの移動ボタンなどによって構成される。
【００６８】
第２マイク部３１は、操作ボタン部３０が設けられた第３面１５の反対側の面である第４面１７に設けられ、第２筐体３の下端近傍に配置される。第２マイク部３１は、通話時において折畳み式携帯電話機１の使用者の音声を集音する。
【００６９】
第１マイク部３２は、操作ボタン部３０が設けられた第３面１５、すなわち、第２マイク部３１が設けられた第３面１５の反対側の第４面１７に設けられる。第１マイク部３２は、操作ボタン部３０の下方であって第２筐体３の下端近傍に配置される。第１マイク部３２は、通話時において折畳み式携帯電話機１の使用者の音声を集音する。
【００７０】
［ヒンジ部４］
ヒンジ部４は、第１筐体２と第２筐体３とを接続する部分であり、第１筐体２の下端および第２筐体３の上端とそれぞれ接続される。ヒンジ部４は、第１回転軸Ａ１と第２回転軸Ａ２との２つの回転軸を有する。
【００７１】
第１回転軸Ａ１は、第１筐体２と第２筐体３とを折り畳むための回転軸であり、主として第１筐体２が第１回転軸Ａ１を中心に回転することによって、折畳み式携帯電話機１は、折畳み状態から開いた状態へ、又は、開いた状態から折畳み状態へと移行する。この折畳み式携帯電話機１では、ヒンジ部４は、表示パネル部２０と操作ボタン部３０とが対向するように第１筐体２と第２筐体３とが折畳まれた状態（以下「第１折畳み状態」）から、第１筐体２と第２筐体３とを第１回転軸Ａ１を中心に１８０度を超えて開くことが可能なように接続する（図２参照）。
【００７２】
ヒンジ部４は、図３に示すように、第１ストッパー４１および第２ストッパー４２を有している。第１ストッパー４１および第２ストッパー４２は、ヒンジ部４の周面から突出する小さな突起状の形状を有している。第１筐体２が、図４（ａ）に示す第１折畳み状態から第１回転軸Ａ１を中心に回転し、第１筐体２側に設けられた溝に第１ストッパー４１が係止することによって、折畳み式携帯電話機１は第１状態に保持される。第１状態とは、図４（ｂ）に示すように、第１筐体２と第２筐体３とが１８０度以下の所定角度に開かれた状態であり、例えば、１１０度以上１７０度以下の所定角度に開かれた状態である。また、第１筐体２が、第１状態から第１回転軸Ａ１を中心にさらに回転し、第１筐体２側に設けられた溝に第２ストッパー４２が係止することによって、折畳み式携帯電話機１は第２状態に保持される。第２状態とは、図４（ｃ）に示すように、第１筐体２と第２筐体３とが１８０度を超えて所定角度に開かれた状態であり、例えば、１９０度以上２５０度以下の所定角度に開かれた状態である。このように、ヒンジ部４は、第１状態と第２状態とに、第１筐体２と第２筐体３とを開くことが可能である。
【００７３】
第２回転軸Ａ２は、第１回転軸Ａ１に直交し、第１筐体２を反転させるための回転軸である。例えば、折畳み式携帯電話機１が第１状態にある場合に、図５に示すように、第１筐体２を第２回転軸Ａ２を中心に１８０度回転させることによって、表示パネル部２０が設けられた第１面１１を外側へと向いた状態（以下「第３状態」）にすることができる。
【００７４】
なお、第３状態のまま第１回転軸Ａ１を中心に第１筐体２を回転させて折畳み状態とすることも可能である。このような折畳み状態では、第１折畳み状態とは異なり、表示パネル部２０が外側に面した状態となる。
【００７５】
また、折り畳み式携帯電話機１が第２状態にある場合に、第２回転軸Ａ２回りに反転させることによって第１面１１が外側を向いた状態（以下「第４状態」）にすることができる。そして、第３状態の場合と同様に、第４状態のまま第１回転軸Ａ１回りに第１筐体２を回転させて折り畳み状態とすることも可能であり、このような折り畳み状態では、表示パネル部２０が外側に面した状態となる。
【００７６】
［制御部５］
制御部５は、第１状態においては第１通信方式へ、前記第２状態においては第２通信方式へと、通信方式を切り換える。ここで、第１通信方式はＰＤＣ方式であり、第２通信方式はＰＨＣ方式である。
【００７７】
以下、制御部５による制御の詳細について説明する。
【００７８】
〈折畳み式携帯電話機１の制御〉
この折畳み式携帯電話機１は、使用者の選択によって第１状態および第２状態のいずれの状態においても通話を行うことが可能である。すなわち、折畳み式携帯電話機１は、第１折畳み状態から第１筐体２が開かれることによって第１状態へと移行するだけではなく、さらに１８０度より大きな角度に第１筐体２を開くことによって第２状態へと移行させることが可能である。第１状態と第２状態とのいずれの状態においても、使用者は、通話時には１８０以下の角度となっている側に顔を近接させて通話を行う。１８０以下の角度となっている側とは、第１状態では、表示パネル部２０および操作ボタン部３０に面する側（内側）であり（図１参照）、第２状態では、表示パネル部２０および操作ボタン部３０に面する側（外側）とは反対側である（図２参照）。
【００７９】
折畳み式携帯電話機１の制御ブロック図を図６に示す。折畳み式携帯電話機１は、上述した表示パネル部２０や操作ボタン部３０等の他に、開閉検知部５０、スイッチ切替部５１、ＰＤＣ制御部５２、ＰＨＣ制御部５３、ＰＨＳ・ＰＤＣ共用器５４、ＰＨＳ・ＰＤＣ共通音声処理部５５などを備えている。
【００８０】
開閉検知部５０は、折畳み式携帯電話機１の状態、すなわち、第１折畳み状態、第１状態、第２状態のいずれであるかを検知する。開閉検知部５０は、図４に示すように、主として、ヒンジ部４に設けられる第１電極面４３および第２電極面４４、第１筐体２に設けられる第３電極面２３によって構成される。開閉検知部５０では、第１筐体２が第１回転軸Ａ１を中心に回転することによって、この第３電極面２３が移動して第１電極面４３や第２電極面４４と接触する。これによって、折畳み式携帯電話機１の開閉検知が行われ、制御部５は、開閉検知部５０による開閉検知結果によって各構成部品を制御する。
【００８１】
具体的には、まず、図４（ａ）に示す第１折畳み状態においては、第３電極面２３は、第１電極面４３および第２電極面４４のいずれとも接触しておらず、制御部５は、第２イヤホン部２１、第２マイク部３１、第１イヤホン部２２、第１マイク部３２の全てを無効とし、表示パネル部２０を消灯とする。
【００８２】
第１筐体２が第１回転軸Ａ１を中心に回転して、図４（ｂ）に示すように第３電極面２３が第１電極面４３と接触すると、折畳み式携帯電話機１が第１状態になったと判断される。そして、制御部５は、第２イヤホン部２１と第２マイク部３１とを無効に且つ第１イヤホン部２２と第１マイク部３２とを有効とし、表示パネル部２０をオン状態とする。また、制御部５は、スイッチ切替部５１を制御して、ＰＤＣ制御部５２を機能させる。ＰＤＣ制御部５２は、ＰＤＣ方式によって送受信を行うための機能を有し、ＰＨＳ・ＰＤＣ共用器５４、ＰＨＳ・ＰＤＣ共通音声処理部５５を制御して、ＰＤＣ方式によって通話やデータ通信を行う。
【００８３】
第１筐体２がさらに回転して、図４（ｃ）に示すように第３電極面２３が第２電極面４４と接触すると、折畳み式携帯電話機１が第２状態となったと判断される。そして、第２イヤホン部２１と第２マイク部３１が有効に且つ第１イヤホン部２２と第１マイク部３２とが無効となる。また、制御部５は、スイッチ切替部５１を制御して、ＰＨＣ制御部５３を機能させる。ＰＨＣ制御部５３は、ＰＨＣ方式によって送受信を行うための機能を有し、ＰＨＳ・ＰＤＣ共用器５４、ＰＨＳ・ＰＤＣ共通音声処理部５５を制御して、ＰＨＣ方式によって通話やデータ通信を行う。なお、第２状態では、制御部５は、操作ボタン部３０を入力が受け付けられないキーロック状態とする。制御部５は、第１状態において操作ボタン部３０の長押しが行われることによって、このキーロック状態を解除する。さらに、第２状態では、表示パネル部２０は、文字情報を表示しない文字情報非表示状態となる。文字情報非表示状態とは、例えば、表示パネル部２０が消灯された状態、イルミネーションやスクリーンセーバーが表示された状態などである。
【００８４】
なお、この折畳み式携帯電話機１では、図５のように第１筐体２を第２回転軸Ａ２を中心に回転させて表示パネル部２０が外側を向いた第３状態にすることが可能であるが、この状態では、第２イヤホン部２１と第１マイク部３２とが有効となり、第１イヤホン部２２と第２マイク部３１とは無効となる。
【００８５】
また、この折り畳み式携帯電話機１では、第１筐体２を第２回転軸Ａ２回りに回転させて表示パネル部２０が内側を向いた第４状態では、第１イヤホン部２２と第１マイク部３２が有効となり、第２イヤホン部２１と第２マイク部３１とが無効となる。
【００８６】
〈特徴〉
この折畳み式携帯電話機１では、使用者が第１筐体２と第２筐体３とを開くときに第１状態とするか第２状態とするかによって、使用する通信方式を選択することができる。例えば、ＰＨＳ方式を使用した携帯電話機から着信があった場合には、第１筐体２と第２筐体３とを１８０度を超えて開いて第２状態とすることによって、ＰＨＳ方式を選択して電話を受けることができる。また、ＰＤＣ方式を使用した携帯電話機から着信があった場合には、第１筐体２と第２筐体３とを１８０以下に開いて第１状態とすることによって、ＰＤＣ方式を選択して電話を受けることができる。このように、この折畳み式携帯電話機１では、使用者の意思によって、通信方式を簡易に選択して使用することができる。
【００８７】
なお、上記の構成では通信方式としてＰＤＣ方式とＰＨＳ方式が利用されているが、他にもＣＤＭＡ，Ｗ−ＣＤＭＡ，ＧＳＭ、ＦＯＭＡなどが組み合わされて利用されてもよい。また、上記の構成では、第１状態においてＰＤＣ方式が選択され、第２状態においてＰＨＳ方式が選択されるように構成されているが、逆に、第１状態においてＰＨＳ方式が選択され、第２状態においてＰＤＣ方式が選択されてもよい。
【００８８】
＜第２実施形態＞
〈構成および制御〉
本発明の第２実施形態にかかる折畳み式携帯電話機１の制御ブロック図を図７に示す。
【００８９】
この折畳み式携帯電話機１は、第１状態と第２状態とで主回線（第１回線）と副回線（第２回線）との２つの回線を切り換えて使用することができる。折畳み式携帯電話機１は、第１実施形態のＰＤＣ制御部５２、ＰＨＣ制御部５３、ＰＨＳ・ＰＤＣ共用器５４、ＰＨＳ・ＰＤＣ共通音声処理部５５に代えて、主回線処理部５６、副回線処理部５７、ＰＤＣ共用器５８、共通音声処理部５９などを備えている。
【００９０】
開閉検知部５０は、上記の第１実施形態で説明した制御内容と同様に、折畳み式携帯電話機１が開かれている状態、すなわち、第１折畳み状態、第１状態、第２状態のいずれであるかを検知する。
【００９１】
制御部５は、第１折畳み状態においては、第２イヤホン部２１、第２マイク部３１、第１イヤホン部２２、第１マイク部３２の全てを無効とし、表示パネル部２０を消灯とする。
【００９２】
制御部５は、第１状態においては、第２イヤホン部２１と第２マイク部３１とを無効に且つ第１イヤホン部２２と第１マイク部３２とを有効とし、表示パネル部２０をオン状態とする。また、制御部５は、スイッチ切替部５１を制御して、主回線処理部５６を機能させる。主回線処理部５６は、主回線によって送受信を行うための機能を有し、ＰＤＣ共用器５８、共通音声処理部５９を制御して、主回線によって通話やデータ通信を行う。
【００９３】
制御部５は、第２状態においては、第２イヤホン部２１と第２マイク部３１を有効に且つ第１イヤホン部２２と第１マイク部３２とを無効とする。また、制御部５は、スイッチ切替部５１を制御して、副回線処理部５７を機能させる。副回線処理部５７は、副回線によって送受信を行うための機能を有し、ＰＤＣ共用器５８と共通音声処理部５９とを制御して、副回線によって通話やデータ通信を行う。
【００９４】
他の構成および制御については、第１実施形態と同様である。
【００９５】
〈特徴〉
この折畳み式携帯電話機１では、使用者が第１筐体２と第２筐体３とを開くときに第１状態とするか第２状態とするかによって、使用する通信回線を選択することができる。すなわち、１つの携帯電話機で２つの電話番号を任意に選択して使用することができ、例えば、ビジネス用とプライベート用とで使用する回線を使い分けることができる。
【００９６】
＜第３実施形態＞
〈構成および制御〉
本発明の第３実施形態にかかる折畳み式携帯電話機１の制御ブロック図を図８に示す。
【００９７】
この折畳み式携帯電話機１は、第１状態と第２状態とにおいて、第１利用者と第２利用者との２つの利用者を区別して使用することができる。折畳み式携帯電話機１は、第２実施形態の主回線処理部５６、副回線処理部５７に代えて、第１利用者制御部６０、第２利用者制御部６１などを備えている。
【００９８】
開閉検知部５０は、第１実施形態と同様に、折畳み式携帯電話機１が開かれている状態、すなわち、第１折畳み状態、第１状態、第２状態のいずれであるかを検知する。
【００９９】
制御部５は、第１折畳み状態においては、第２イヤホン部２１、第２マイク部３１、第１イヤホン部２２、第１マイク部３２の全てを無効とし、表示パネル部２０を消灯とする。
【０１００】
制御部５は、第１状態においては、第２イヤホン部２１と第２マイク部３１とを無効に且つ第１イヤホン部２２と第１マイク部３２とを有効とし、表示パネル部２０をオン状態とする。また、制御部５は、スイッチ切替部５１を制御して、第１利用者制御部６０を機能させる。第１利用者制御部６０は、第１利用者によって送受信を行うための機能を有し、ＰＤＣ共用器５８、共通音声処理部５９を制御して、第１利用者による使用であるとの認識の下に通話やデータ通信を行う。
【０１０１】
制御部５は、第２状態においては、第２イヤホン部２１と第２マイク部３１を有効に且つ第１イヤホン部２２と第１マイク部３２とを無効とする。また、制御部５は、スイッチ切替部５１を制御して、第２利用者制御部６１を機能させる。第２利用者制御部６１は、第２利用者によって送受信を行うための部分であり、ＰＤＣ共用器５８と共通音声処理部５９とを制御して、第２利用者による使用であるとの認識の下に通話やデータ通信を行う。
【０１０２】
他の構成および制御については、第１実施形態と同様である。
【０１０３】
〈特徴〉
この折畳み式携帯電話機１では、使用者が第１筐体２と第２筐体３とを開くときに第１状態とするか第２状態とするかによって、利用者を区別することができる。例えば、第１状態において折畳み式携帯電話機１が使用される場合と、第２状態において折畳み式携帯電話機１が使用される場合とで、利用時間や利用データ量を別個に積算することができる。これによって、１台の携帯電話機で、通信費を２人の利用者に分けて精算することができる。
【０１０４】
＜第４実施形態＞
〈構成および制御〉
本発明の第４実施形態にかかる折畳み式携帯電話機１の制御ブロック図を図９に示す。
【０１０５】
この折畳み式携帯電話機１は、第１状態と第２状態とにおいて、通話とメール送受信を切り換えて使用することができる。折畳み式携帯電話機１は、第１実施形態のＰＤＣ制御部５２、ＰＨＣ制御部５３、ＰＨＳ・ＰＤＣ共用器５４、ＰＨＳ・ＰＤＣ共通音声処理部５５に代えて、通話制御部６３、メール通信制御部６４、ＰＤＣ共用器５８、共通音声処理部５９などを備えている。
【０１０６】
開閉検知部５０は、第１実施形態と同様に、折畳み式携帯電話機１が開かれている状態、すなわち、第１折畳み状態、第１状態、第２状態のいずれであるかを検知する。
【０１０７】
制御部５は、第１状態においては、第２イヤホン部２１と第２マイク部３１とを無効に且つ第１イヤホン部２２と第１マイク部３２とを有効とし、表示パネル部２０をオン状態とする。また、制御部５は、スイッチ切替部５１を制御して、通話制御部６３を機能させる。通話制御部６３は、通話を行うための機能を有し、ＰＤＣ共用器５８、共通音声処理部５９を制御して、他の携帯電話機等との間での通話が可能となる。
【０１０８】
制御部５は、第２状態においては、第２イヤホン部２１と第２マイク部３１を有効に且つ第１イヤホン部２２と第１マイク部３２とを無効とする。また、制御部５は、スイッチ切替部５１を制御して、第２利用者制御部６１を機能させる。第２利用者制御部６１は、第２利用者によって送受信を行うための部分であり、ＰＤＣ共用器５８と共通音声処理部５９とを制御して、第２利用者による使用であるとの認識の下に通話やデータ通信を行う。
【０１０９】
他の構成および制御については、第１実施形態と同様である。
【０１１０】
〈特徴〉
この折畳み式携帯電話機１では、使用者が第１筐体２と第２筐体３とを開くときに第１状態とするか第２状態とするかによって、通話及びメール送受信のいずれかに通信態様を切り換えることができる。
【０１１１】
［他の実施形態］
（ａ）第３状態及び第４状態への切り換えでは、イヤホン部、マイク部の有効・無効を切り換える以外に、通信状態や、操作ボタン部のキー状態、表示パネル部の表示状態等、他のモード切換が行われても良い。
【０１１２】
（ｂ）各筐体のＡ２軸回りの回転角度は、１８０度に限らず、９０度等の他の角度であっても良い。この場合、Ａ２軸回りの開閉角度ごとに第３及び第４モードと異なるモードがさらに割り当ててられても良い。
【０１１３】
（ｃ）切り換えの対象となるモードは、通信状態、操作ボタン部のキー状態、表示パネル部の表示状態に限定されず、他の機能の切り換えに関するものであっても良い。
【０１１４】
（ｄ）第２所定角度は、第１所定角度よりも大きければ良く、第２所定角度が１８０度以下であっても、第１所定角度が１８０度を超える角度であっても良い。
【産業上の利用可能性】
【０１１５】
本発明は、使用者の選択により簡易にモードを切り換えることができる効果を有し、折畳み式携帯電話機として有用である。
【図面の簡単な説明】
【０１１６】
【図１】第１状態における折畳み式携帯電話機の外観図。
【図２】第２状態における折畳み式携帯電話機の外観図。
【図３】ヒンジ部の外観図。
【図４】折畳み式携帯電話機の開閉動作を示す側面図。
【図５】第３状態における折畳み式携帯電話機の外観図。
【図６】第１実施形態にかかる制御ブロック図。
【図７】第２実施形態にかかる制御ブロック図。
【図８】第３実施形態にかかる制御ブロック図。
【図９】第４実施形態にかかる制御ブロック図。
【符号の説明】
【０１１７】
１          折畳み式携帯電話機
２          第１筐体
３          第２筐体
４          ヒンジ部（接続部）
５          制御部
２１        第２イヤホン部
２２        第１イヤホン部
３１        第２マイク部
３２        第１マイク部
Ａ１        第１回転軸
Ａ２        第２回転軸
【図１】
2005151548.tif 000003
【図２】
2005151548.tif 000004
【図３】
2005151548.tif 000005
【図４】
2005151548.tif 000006
【図５】
2005151548.tif 000007
【図６】
2005151548.tif 000008
【図７】
2005151548.tif 000009
【図８】
2005151548.tif 000010
【図９】
2005151548.tif 000011